(57)【要約】      （修正有）【課題】容易に組み立てることができ、且つ強度があるボックスファイルを提供する。【解決手段】正面板１４と底面板１６と背面板１８とを連設した第１箱部材２０と、正面板と背面板との間に架設されるための第１側面板２２および第２側面板２４と連結片２６とを具備する第２箱部材２８とを含み、第１箱部材は、正面板および背面板と底面板との境界において、折曲線３６，３８が形成され、第２箱部材は、連結片が、第１側面板および第２側面板の正面側に折曲線を介して延設された正面連結片４８と、背面側に折曲線を介して延設された背面連結片５２と、底面側に折曲線を介して延設された底面連結片５６とを備え、底面連結片が、第１箱部材の底面板の主面に重ね合わせて固着され、且つ正面連結片が正面板側および背面連結片が背面板側において、第１側面板および第２側面板と正面板および背面板とが固着具９０で固着されるように形成されている。【選択図】図１
2005205689.tif 000002
【特許請求の範囲】
【請求項１】
正面板と底面板と背面板とを連設した第１箱部材と、
前記正面板と背面板との間に架設されるための第１側面板および第２側面板と連結片とを具備する第２箱部材とを含み、
前記第１箱部材と第２箱部材とは、
前記正面板領域と底面板領域と背面板領域と第１側面板領域と第２側面板領域と連結片領域とを有する芯材と、
前記芯材の表面から裏面に亘って前記芯材をくるむように貼られた表装材とからなり、
前記第１箱部材は、
正面板および背面板と底面板との境界において、正面板および背面板が底面板を挟んで正面板の内面と背面板の内面とが対向して立設するための折曲線が形成され、
前記第２箱部材は、
第１側面板と第２側面板とが、前記底面板と略々同一の幅で少なくとも背面板側は前記背面板とほぼ同一の高さに形成され、
連結片が、第１側面板および第２側面板の正面側に折曲線を介して延設された正面連結片と、背面側に折曲線を介して延設された背面連結片と、底面側に折曲線を介して延設された底面連結片とを備え、
前記底面連結片が、前記第１箱部材の底面板の主面に重ね合わせて固着され、且つ正面連結片が正面板側および背面連結片が背面板側において、第１側面板および第２側面板が正面板および背面板の両側近傍であって外に大きくはみ出さない位置において、第１側面板および第２側面板と正面板および背面板とが固着具で固着されるように形成された、
ボックスファイル。
【請求項２】
前記第２箱部材は、第１側面板と第２側面板とに分離され、
第１側面板および第２側面板は、それぞれその下部に折曲線を介して底面連結片が連設された、
請求項１に記載のボックスファイル。
【請求項３】
前記底面連結片が、前記第１箱部材の底面板の内面に重ね合わせて固着され、且つ正面連結片が正面板の内面および背面連結片が背面板の内面において、第１側面板および第２側面板が正面板および背面板の両側近傍であって外にはみ出さない位置において、第１側面板および第２側面板と正面板および背面板とが固着具で固着されるように形成された、  請求項１または２に記載のボックスファイル。
【請求項４】
第１側面板および第２側面板と背面連結片との間の折曲線は、背面連結片の内面と背面板の内面とが対向して重ね合わされるように、内側に折り曲げ可能に形成され、且つ
底面連結片は、底面板の幅に対応する幅を有し、第１側面板および第２側面板との間の折曲線に連続して背面側の端縁より正面側端縁に亘って折曲線が形成され、該折曲線は、底面連結片の内側面同士が対向して折り畳めるように内側に折り曲げ可能に形成された、
請求項１ないし３のいずれかに記載のボックスファイル。
【請求項５】
第１箱部材の底面板の内側面に第２箱部材の底面連結片が固着され、
第２箱部材の正面連結片および／または背面連結片は、正面板および／または背面板と切り離された状態で折り畳み可能に形成されるとともに、
第２箱部材の正面連結片の外面と正面板の内面とが重ね合わされ、且つ第２箱部材の背面連結片の外面と背面板の内面とが重ね合わされ、
正面連結片に形成された貫通孔と正面板に形成された貫通孔とがそれぞれ合わされ且つ背面連結片に形成された貫通孔と背面板に形成された貫通孔とがそれぞれ合わされるとともに、該貫通孔に固着具が嵌挿され該固着具によって正面連結片と正面板および背面連結片と背面板とが固着されて、箱状に組み立てられる、
請求項１ないし４のいずれかに記載のボックスファイル。
【請求項６】
正面板および正面連結片の貫通孔は、背面板および背面連結片の貫通孔と高さ方向における位置および／または幅方向における位置が異なるように形成された、
請求項１ないし５のいずれかに記載のボックスファイル。
【請求項７】
第２箱部材の第１側面板および第２側面板は、背面板と略々同一の高さで底面板と略々同一の幅に形成され、
正面連結片および背面連結片は、第１側面板および第２側面板の高さ方向において第１側面板および第２側面板と同一の長さを備え、且つ第１側面板および第２側面板の上端から下端に亘って折曲線を介して連設された、
請求項１ないし６のいずれかに記載のボックスファイル。
【発明の詳細な説明】
【技術分野】
【０００１】
この発明は、種々の書類やファイルなどを収納し、保管することができるボックスファイルに関し、特に例えば、運搬や不使用時には折り畳むことができ、且つ使用時には簡単に組み立てることができるボックスファイルに関する。
【背景技術】
【０００２】
従来、梱包された状態で流通される時には折り畳まれ、使用時には折り畳まれた状態からワンタッチで箱体を形成するようにしたボックスファイルがある。
【０００３】
【特許文献１】特許第２７７６２５４号
【特許文献２】特許第２７２９５９７号
【発明の開示】
【発明が解決しようとする課題】
【０００４】
この従来のボックスファイルは、いずれもワンタッチの組み立ておよびワンタッチの折り畳みが可能なものであるが、底蓋が折り畳み時から箱体の状態に組み立てる時に底組みをしなければならない構造となっており、底蓋を構成する一方の底蓋片と他方の底蓋片とが切り込み部において係止させるように構成されているもので、比較的重い書類やファイルを入れた場合、係止されているのみのために脱係することがある。
それゆえに、この発明の主たる目的は、折り畳んだ状態から容易に組み立てることができ、且つ強度が比較的あるボックスファイルを提供することである。
【課題を解決するための手段】
【０００５】
この発明の請求項１にかかるボックスファイルは、正面板と底面板と背面板とを連設した第１箱部材と、前記正面板と背面板との間に架設されるための第１側面板および第２側面板と連結片とを具備する第２箱部材とを含み、前記第１箱部材と第２箱部材とは、前記正面板領域と底面板領域と背面板領域と第１側面板領域と第２側面板領域と連結片領域とを有する芯材と、前記芯材の表面から裏面に亘って前記芯材をくるむように貼られた表装材とからなり、前記第１の箱部材は、正面板および背面板と底面板との境界において、正面板および背面板が底面板を挟んで正面板の内面と背面板の内面とが対向して立設するための折曲線が形成され、前記第２の箱部材は、第１側面板と第２側面板とが、前記底面板と略々同一の幅で少なくとも背面板側は前記背面板とほぼ同一の高さに形成され、連結片が、第１側面板および第２側面板の正面側に折曲線を介して延設された正面連結片と、背面側に折曲線を介して延設された背面連結片と、底面側に折曲線を介して延設された底面連結片とを備え、前記底面連結片が、前記第１箱部材の底面板の主面に重ね合わせて固着され、且つ正面連結片が正面板側および背面連結片が背面板側において、第１側面板および第２側面板が正面板および背面板の両側近傍であって外に大きくはみ出さない位置において、第１側面板および第２側面板と正面板および背面板とが固着具で固着されるように形成された、ボックスファイルである。
この発明の請求項２にかかるボックスファイルは、前記第２箱部材は、第１側面板と第２側面板とに分離され、第１側面板および第２側面板は、それぞれその下部に折曲線を介して底面連結片が連設された、請求項１に記載のボックスファイルである。
この発明の請求項３にかかるボックスファイルは、前記底面連結片が、前記第１箱部材の底面板の内面に重ね合わせて固着され、且つ正面連結片が正面板の内面および背面連結片が背面板の内面において、第１側面板および第２側面板が正面板および背面板の両側近傍であって外にはみ出さない位置において、第１側面板および第２側面板と正面板および背面板とが固着具で固着されるように形成された、請求項１または２に記載のボックスファイルである。
この発明の請求項４にかかるボックスファイルは、第１側面板および第２側面板と背面連結片との間の折曲線は、背面連結片の内面と背面板の内面とが対向して重ね合わされるように、内側に折り曲げ可能に形成され、且つ底面連結片は、底面板の幅に対応する幅を有し、第１側面板および第２側面板との間の折曲線に連続して背面側の端縁より正面側端縁に亘って折曲線が形成され、該折曲線は、底面連結片の内側面同士が対向して折り畳めるように内側に折り曲げ可能に形成された、請求項１ないし３のいずれかに記載のボックスファイルである。
この発明の請求項５にかかるボックスファイルは、第１箱部材の底面板の内側面に第２箱部材の底面連結片が固着され、第２箱部材の正面連結片および／または背面連結片は、正面板および／または背面板と切り離された状態で折り畳み可能に形成されるとともに、第２箱部材の正面連結片の外面と正面板の内面とが重ね合わされ、且つ第２箱部材の背面連結片の外面と背面板の内面とが重ね合わされ、正面連結片に形成された貫通孔と正面板に形成された貫通孔とがそれぞれ合わされ且つ背面連結片に形成された貫通孔と背面板に形成された貫通孔とがそれぞれ合わされるとともに、該貫通孔に固着具が嵌挿され該固着具によって正面連結片と正面板および背面連結片と背面板とが固着されて、箱状に組み立てられる、請求項１ないし４のいずれかに記載のボックスファイルである。
この発明の請求項６にかかるボックスファイルは、正面板および正面連結片の貫通孔は、背面板および背面連結片の貫通孔と高さ方向における位置および／または幅方向における位置が異なるように形成された、請求項１ないし５のいずれかに記載のボックスファイルである。
この発明の請求項７にかかるボックスファイルは、第２箱部材の第１側面板および第２側面板は、背面板と略々同一の高さで底面板と略々同一の幅に形成され、正面連結片および背面連結片は、第１側面板および第２側面板の高さ方向において第１側面板および第２側面板と同一の長さを備え、且つ第１側面板および第２側面板の上端から下端に亘って折曲線を介して連設された、請求項１ないし６のいずれかに記載のボックスファイルである。
【発明の効果】
【０００６】
請求項１に記載の発明によれば、第１箱部材の底面板の内面に第２箱部材の底面連結片が重ね合わせて固着され、ボックスファイルの底面板が構成されるので、底面板は比較的強固で、使用時にはずれるなどの問題が生じることがない。
また、第１側面板および第２側面板と正面板および背面板とが固着されるように形成されているので、比較的簡単に底面板の正面側および背面側に正面板および背面板を立設することができ、且つ立設された底面板および背面板の間に第２箱部材の第１側面板および第２側面板を立設してボックス型を構成することができるので、その組み立てに際しては、比較的簡単に組み立てることができる。また、組み立てられる前には、第１箱部材の正面板および背面板と第２箱部材の第１側面板および第２側面板とは分離された状態で、正面板および背面板の内面と底面板の内面とが対向して重ねることができ、且つ第２箱部材の第１側面板および第２側面板もその間に重ねることができるようにすれば、比較的コンパクトに収納ができ、運搬や保管にも便利である。
さらに、第１箱部材と第２箱部材とは、芯材と該芯材の表面から裏面に亘って芯材をくるむように貼られた表装材とからなり、従来のボックスファイルのように比較的折れ曲がりやすい紙材からなるものとは異なり、全体的に堅牢なボックスファイルを構成することができる。
【０００７】
請求項２の発明によれば、底面板と底面連結片との固着により底面板がより強固となる。
【０００８】
請求項３の発明によれば、第１箱部材に第２箱部材が外側にはみ出ることなく、美しく強固に固定することができる。
【０００９】
請求項４の発明によれば、第１側面板および第２側面板と背面連結片との間の折曲線において第１側面板および第２側面板の内面と背面板の内面とが対向して重ね合わせられるように内側に折り曲げ可能に形成されているので、折り畳み時には、背面板に第１側面板および第２側面板を重ね合わせることができ、底面連結片の折曲線において第１側面板および第２側面板に連設された部分を内側に向けて折り曲げ折り畳むことができるので、比較的コンパクトに収納することができる。
【００１０】
請求項５の発明によれば、運搬時や不使用時には比較的簡単にコンパクトに折り畳むことができ、且つ使用時には比較的簡単に組み立てボックスファイルとして用いることができる。
【００１１】
請求項６の発明によれば、正面板および正面連結片の貫通孔と背面板および背面連結片の貫通孔の位置が異なるように形成されるので、該貫通孔に固着具が固定された時、ボックスファイルの外面に固着具の一部が突出しても、該ボックスファイルを複数隣接して並べたときに、固着具の飛び出た部分同士が触れ合うことなく、不要な隙間を生じることなく密に並べることができる。
【００１２】
請求項７の発明によれば、第２箱部材の第１側面板および第２側面板は背面板と段差ができることなくその高さを統一して構成することができ、また、底面板と同一の幅に形成されているので正面板と背面板との間に密に側面板を立設し固定することができるので、ボックスファイルに隙間が生じることがない。
しかも、正面連結片と背面連結片とは、第１側面板および第２側面板とその高さ方向において略々同一の長さを備え、第１側面板および第２側面板の上端から下端に亘って折曲線を介して連設されているので、第１側面板および第２側面板が全体的に強度を増し、且つ表面板および背面板と強固に固着することができる。
【００１３】
この発明の上述の目的、その他の目的、特徴および利点は、図面を参照して行う以下の発明を実施するための最良の形態の詳細な説明から一層明らかとなろう。
【発明を実施するための最良の形態】
【００１４】
図１は、この発明の一実施の形態であるボックスファイルの斜視図解図である。
図２は、この発明の一実施の形態であるボックスファイルの折り畳み時の斜視図解図である。図３は、第１箱部材の平面図解図である。図４は、第２箱部材の平面図解図である。図５は、第２箱部材の平面図解図である。図６は、図１図示ボックスファイルの正面図解図である。図７は、図１図示ボックスファイルの背面図解図である。図８は、図１図示ボックスファイルの平面図解図である。図９は、図１図示ボックスファイルの底面図解図である。図１０は、図１図示ボックスファイルの右側面図解図である。図１１は、図１図示ボックスファイルの左側面図解図である。
【００１５】
このボックスファイル１０は、その上部が開放された横長の箱型で上部開口部１２よりボックスファイル１０内に書類やファイルなどを入れることができるように構成されたものである。
このボックスファイル１０は、横長長方形状の正面板１４と、該正面板１４の下部に連設された横長長方形状の底面板１６と、該底面板１６の背面側に連設され前記正面板１４と平行に垂直方向に立設された横長長方形状の背面板１８とを具備する第１箱部材２０を含む。
正面板１４とそれと平行に設けられた背面板１８との間に架設され、正面板１４と背面板１８の右端縁において右側面板を構成する第１側面板２２および正面板１４と背面板１８の左端縁において左側面板を構成する第２側面板２４と、該第１側面板２２および第２側面板２４と前記第１箱部材２０の正面板１４、底面板１６および背面板１８とを連結する連結片２６とを具備する第２箱部材２８を含む。
【００１６】
第１箱部材２０は、図１８に示すように、正面板領域１４a と底面板領域１６a と背面板領域１８a とを有する芯材３０と、前記芯材３０の表面から裏面に亘って該芯材３０をくるむように貼られた表装材３２とからなり、表装材３２の裏面側の端縁を覆うように芯材３０の裏面に貼着された見返し紙３４とを含む。
【００１７】
第１箱部材２０は、正面板１４および背面板１８と底面板１６との境界において、正面板１４および背面板１８が底面板１６を挟んで正面板１４の内面と背面板１８の内面とが対向して立設するための直線状の折曲線３６および直線状の折曲線３８がそれぞれ平行となるように形成されている。
【００１８】
正面板１４と底面板１６との境界において形成された折曲線３６および背面板１８と底面板１６との境界において形成された折曲線３８は、第１箱部材２０の幅方向において左端縁から右端縁に亘って連続して形成され、底面板１６と正面板１４および背面板１８とを区画するとともに芯材３０および表装材３２を折り曲げることができるように構成されている。
【００１９】
第１箱部材２０および第２箱部材２８は、一方の側面板（右側面板）を構成する略々縦長長方形状の第１側面板２２およびそれと対向する他方の側面板（左側面板）を構成する略々縦長長方形状の第２側面板２４が、前記第１箱部材２０の底面板１６と略々同一の幅で背面板１８と略々同一の高さに形成されている。
この第２箱部材２８は、前記第１箱部材２０と同様に、第１側面板２２と第２側面板２４と連結片２６とを構成する領域を有する芯材４０と、前記芯材４０の表面から裏面に亘って該芯材４０をくるむように貼られた表装材４２とからなり、第２箱部材２８の芯材４０側の表面には表装材４２の裏面側端縁を覆うように見返し紙４４が貼着されている。
【００２０】
連結片２６は、第１側面板２２および第２側面板２４の正面側に折曲線４６を介して連設された正面連結片４８と、背面側に折曲線５０を介して連設された背面連結片５２と、底面側に折曲線５４を介して連設された底面連結片５６とを含む。
【００２１】
第１側面板２２および第２側面板２４の正面側に連設された正面連結片４８は、第１側面板２２および第２側面板２４の高さ方向において第１側面板２２および第２側面板２４と同一の長さを備え、第１側面板２２および第２側面板２４の上端から下端に亘って連設されている。
開口部１２を形成する正面連結片４８の開口端縁は、水平の上端縁と該水平の上端縁より内側に向かうにしたがって傾斜した傾斜端縁を備え、該傾斜端縁により開口部１２の内側に向かうにしたがって広く開口して、正面板１４の上部が広く開口するように構成されている。
【００２２】
背面連結片５２は、第１側面板２２および第２側面板２４とその高さ方向において略々同一の長さを備え、第１側面板２２および第２側面板２４の上端から下端に亘って連続して形成された、正面略縦長長方形状である。
【００２３】
底面連結片５６は、第１側面板２２と第２側面板２４とに分離され、第１側面板２２および第２側面板２４は、その下部に底面連結片５６がそれぞれ連設されている。
底面連結片５６は、底面板１６の幅に対応する幅を有し、前記折曲線５４に連続して背面側端縁より正面側端縁に亘って折曲線５８が形成された、平面略長方形状の板体である。
【００２４】
この実施の形態においては、第２箱部材２８は、第１側面板２０と第２側面板２４とが連結片２６を構成する底面連結片５６部分においてそれぞれが分離された２つの部材に分けられ、第１側面板２２およびそれに連設された連結片２６と第２側面板２４およびそれに連設された連結片２６とは線対称に形成されている。
【００２５】
第１側面板２２の正面側に連設された正面連結片４８（４８ａ）は、第１側面板２２の高さ方向において第１側面板２２と同一の長さを備え、折曲線４６（４６ａ）を介して第１側面板２２の上端から下端に亘って連設されている。
開口部１２を形成する正面連結片４８（４８ａ）の開口端縁は、水平の上端縁と該水平の上端縁より右側に向かうにしたがって傾斜した傾斜端縁を備え、該傾斜端縁により開口部１２の内側に向かうにしたがって広く開口するように構成されている。正面連結片４８（４８ａ）の底面側端縁４８ｕｅは、折曲線５４の延長線と重なる直線状である。
【００２６】
第１側面板２２の背面連結片５２（５２ａ）は、第１側面板２２とその高さ方向において略々同一の長さを備え、折曲線５０（５０ａ）を介して第１側面板２２の上端から下端に亘って連続して形成された、正面略縦長長方形状である。背面連結片５２（５２ａ）の底面側端縁５２ｕｅは、折曲線５４の延長線より上方に傾斜している。
【００２７】
第１側面板２２の底面連結片５６（５６ａ）は、折曲線５４（５４ａ）を介して第１側面板２２に連設されている。
底面連結片５６（５６ａ）は、底面板１６の幅に対応する幅を有し、前記折曲線５４（５４ａ）に連続して背面側端縁５６ｒｅより正面側端縁５６ｆｅに亘って折曲線５８（５８ａ）が形成された、平面略長方形状の板体である。
【００２８】
第２側面板２４の正面側に連設された正面連結片４８（４８ｂ）は、第２側面板２４の高さ方向において第２側面板２４と同一の長さを備え、折曲線４６（４６ｂ）を介して第２側面板２４の上端から下端に亘って連設されている。
開口部１２を形成する正面連結片４８（４８ｂ）の開口端縁４８ｏｅは、水平の上端縁と該水平の上端縁より左側に向かうにしたがって傾斜した傾斜端縁を備え、該傾斜端縁により開口部１２の内側に向かうにしたがって広く開口するように構成されている。正面連結片４８（４８ｂ）の底面側端縁４８ｕｅは、折曲線５４の延長線と重なる直線状である。
【００２９】
第２側面板２４の背面連結片５２（５２ｂ）は、第２側面板２４とその高さ方向において略々同一の長さを備え、折曲線５０（５０ｂ）を介して第２側面板２４の上端から下端に亘って連続して形成された、正面略縦長長方形状である。背面連結片５２（５２ｂ）の底面側端縁５２ｕｅは、折曲線５４の延長線より上方に傾斜している。
【００３０】
第２側面板２４の底面連結片５６（５６ｂ）は、折曲線５４（５４ｂ）を介して第２側面板２４に連設されている。
底面連結片５６（５６ｂ）は、底面板１６の幅に対応する幅を有し、前記折曲線５４（５４ｂ）に連続して背面側端縁５６ｒｅより正面側端縁５６ｆｅに亘って折曲線５８（５８ｂ）が形成された、平面略長方形状の板体である。
【００３１】
第１側面板２２とそれに連設された背面連結片５２（５２ａ）との間の折曲線５０（５０ａ）は、第１側面板２２の内面と背面板１８の内面とが対向して重ね合わされるように、内側に折り曲げ可能に形成されている。
また、第１側面板２２に連設された底面連結片５６（５６ａ）に形成された折曲線５８（５８ａ）は、底面連結片５６（５６ａ）の内側面同士が対向して重ね合わされるように内側に折り曲げ可能に形成されている。
したがって、第１側面板２２は、第１側面板２２と背面連結片５２（５２ａ）との間に形成された折曲線５０（５０ａ）において内側に折り曲げ可能であり、且つ底面連結片５６（５６ａ）に形成された前記折曲線５０（５０ａ）に連続する折曲線５８（５８ａ）によって底面連結片５６（５６ａ）が内側に向けて底面連結片５６（５６ａ）の内側面が対向するように重ね折り畳み可能であるので、第１の側面板２２は背面板１８と対向して重ね合わせることができる。
【００３２】
第２側面板２４とそれに連設された背面連結片５２（５２ｂ）との間の折曲線５０（５０ｂ）は、第２側面板２４の内面と背面板１８の内面とが対向して重ね合わされるように、内側に折り曲げ可能に形成されている。
また、第２側面板２４に連設された底面連結片５６（５６ｂ）に形成された折曲線５８（５８ｂ）は、底面連結片５６（５６ｂ）の内側面同士が対向して重ね合わされるように内側に折り曲げ可能に形成されている。
したがって、第２側面板２４は、第２側面板２４と背面連結片５２（５２ｂ）との間に形成された折曲線５０（５０ｂ）において内側に折り曲げ可能であり、且つ底面連結片５６（５６ｂ）に形成された前記折曲線５０（５０ｂ）に連続する折曲線５８（５８ｂ）によって底面連結片５６（５６ｂ）が内側に向けて底面連結片５６（５６ｂ）の内側面が対向するように重ね折り畳み可能であるので、第２側面板２４は背面板１８と対向して重ね合わせることができる。
【００３３】
第２箱部材２８は、第１箱部材２０の底面板１６の内側面に、第２箱部材２８の底面連結片５６の外側面が重ね合わされて、鋲ないし接着剤によって固着されている。
この実施の形態においては、底面板１６に穿設された４つの貫通孔８０と該貫通孔８０に対応した位置において底面連結片５６に穿設された貫通孔８２とを合わせ、該貫通孔８０および貫通孔８２に鋲８４の足を嵌挿し、底面板１６の内側面と底面連結片５６の外側面とが鋲８４の頭部をもって固定されて、第１箱部材２０の底面板１６と第２箱部材２８の底面連結片５６とが固着されている。
【００３４】
そして、第２箱部材２８の背面連結片５２（５２ａ，５２ｂ）と第１箱部材２０の背面板１８とは固定され、且つ第２箱部材２８の正面連結片４８（４８ａ，４８ｂ）と第１箱部材２０の正面板１４とが切り離された状態で折り畳まれる。
【００３５】
正面板１４の右側縁近傍には、高さ方向に２箇所に分かれて適宜な間隔をおいて２つの貫通孔６０ａおよび６２ａが穿設され、且つ正面板１４の左側縁近傍には、高さ方向に２箇所に分かれて適宜な間隔をおいて２つの貫通孔６０ｂおよび６２ｂが穿設されている。
また、正面板１４の内側面に固定される正面連結片４８にも、第１側面板２２側は、その右側縁近傍において高さ方向に２箇所に分かれ前記正面板１４の貫通孔６０ａおよび６２ａと同様な位置（高さ方向の位置および幅方向の位置において正面板の貫通孔６０ａおよび６２ａと対応する位置）に貫通孔６４ａおよび貫通孔６６ａが穿設され、且つ第２側面板２４側は、その左側縁近傍において高さ方向に２箇所に分かれ前記正面板１４の貫通孔６０ｂおよび６２ｂと同様な位置（高さ方向の位置および幅方向の位置において正面板の貫通孔６０ｂおよび６２ｂと対応する位置）に貫通孔６４ｂおよび貫通孔６６ｂが穿設されている。
【００３６】
背面板１８の右側縁近傍には、高さ方向において適宜な間隔をおいて２つの貫通孔６８ａおよび貫通孔７０ａが穿設され、且つ左側縁近傍には、高さ方向において適宜な間隔をおいて２つの貫通孔６８ｂおよび貫通孔７０ｂが穿設されている。
また、背面板１８の内側面に固着される背面連結片５２にも、第１側面板２２側は、その端縁近傍においてその高さ方向に適宜な間隔をおいて前記背面板１８の貫通孔６８ａおよび貫通孔７０ａと同様な位置（高さ方向の位置および幅方向の位置において背面板の貫通孔６８ａおよび７０ａと対応する位置）において、貫通孔７２ａおよび貫通孔７４ａが穿設され、且つ第２側面板２４側は、その端縁近傍においてその高さ方向に適宜な間隔をおいて前記背面板１８の貫通孔６８ｂおよび貫通孔７０ｂと同様な位置（高さ方向の位置および幅方向の位置において背面板の貫通孔６８ｂおよび７０ｂと対応する位置）において、貫通孔７２ｂおよび貫通孔７４ｂが穿設されている。
なお、この実施の形態においては、正面板１４の貫通孔６０ａ，６２ａ，６０ｂ、６２ｂおよび正面連結片４８に形成された貫通孔６４ａ，６６ａ，６４ｂ，６６ｂと背面板１８の貫通孔６８ａ，７０ａ，６８ｂ，７０ｂおよび背面連結片５２に穿設された貫通孔７２ａ，７４ａ，７２ｂ，７４ｂとは、高さ方向における位置および幅方向における位置が異なるように形成されている。
【００３７】
そして、このボックスファイル１０を組み立てる時に、第１側面板２２を第１箱部材２０に取り付けるためには、第１箱部材２０の正面板１４の内側面に第２箱部材２８の正面連結片４８ａの外側面を重ね合わせ、且つ正面板１４の貫通孔６０ａおよび貫通孔６２ａと正面連結片４８ａの貫通孔６４ａおよび貫通孔６６ａとを合わせ、別途準備した固着具９０によって第１側面板２２が正面板１４および背面板１８の右側縁からはみ出さず揃う位置において固着する。
【００３８】
さらに、第２側面板２４を第１箱部材２０に取り付けるためには、第１箱部材２０の正面板１４の内側面に第２箱部材２８の正面連結片４８ｂの外側面を重ね合わせ、且つ正面板１４の貫通孔６０ｂおよび貫通孔６２ｂと正面連結片４８ｂの貫通孔６４ｂおよび貫通孔６６ｂとを合わせ、別途準備した固着具９０によって第２側面板２４が正面板１４および背面板１８の左側縁からはみ出さず揃う位置において固着する。
【００３９】
また、第１箱部材２０の背面板１８の内側面に第２箱部材２８の背面連結片５２（５２ａ）の外側面を重ね合わせ、背面板１８の貫通孔６８ａおよび貫通孔７０ａと背面連結片５２ａの貫通孔７２ａおよび貫通孔７４ａとを合わせ、第１側面板２２の右端縁が背面板１８の右端縁よりはみ出さず揃う位置において、貫通孔６８ａおよび貫通孔７０ａと貫通孔７２ａおよび貫通孔７４ａに固着具９０を嵌挿して背面板１８と背面連結片５２ａとを固着する。
【００４０】
さらに、第１箱部材２０の背面板１８の内側面に第２箱部材２８の背面連結片５２（５２ｂ）の外側面を重ね合わせ、背面板１８の貫通孔６８ｂおよび貫通孔７０ｂと背面連結片５２ｂの貫通孔７２ｂおよび貫通孔７４ｂとを合わせ、第２側面板２４の左端縁が背面板１８の左端縁よりはみ出さず揃う位置において、貫通孔６８ｂおよび貫通孔７０ｂと貫通孔７２ｂおよび貫通孔７４ｂに固着具９０を嵌挿して、背面板１８と背面連結片５２ｂとを固着する。
【００４１】
固着具９０は、図１３ないし１６において示すように、平面円形状で半球状の頭部９２の中央より円柱状脚部９４が突出され、脚部９４の先端に２つ割りになった先端を有する球状の膨出部９６が形成された鋲９８と、該鋲９８の脚部９４に嵌合される固着片１００とからなる。
固着片１００は、その中央に前記鋲９８の膨出部９６より小さな径の貫通孔１０２が形成され、膨出部９６の２つ割り状になった部位の間隔を縮めるようにして貫通孔１０２に膨出部９６を嵌挿し、固着具９０の脚部９４に嵌め込むように構成されている。
嵌挿された鋲９８の膨出部９６は、固着片１００の貫通孔１０２の周縁の台座１０４に固定される。
【００４２】
この実施の形態においては、折り畳み時には、第１箱部材２０の底面板１６と第１側面板２２の底面連結片５６ａおよび第２側面板２４の底面連結片５６ｂとを鋲８４で固着し、且つ、第１箱部材２０の背面板１８と第１側面板２２の背面連結片５２ａおよび第２側面板２４の背面連結片５２ｂとが固着具９０で固着されており、第１箱部材２０の正面板１４と第１側面板２２の正面連結片４８ａおよび第２側面板２４の正面連結片４８ｂとが分離された状態に組み立てられたノックダウン型とされている。
折り畳み時には、第２箱部材２８の折曲線５０および底面連結片５６ａ，５６ｂの折曲線５８ａ，５８ｂを内折り、すなわち、第１側面板２２および第２側面板２４が背面板１８に重ね合わされるように折り曲げ、且つ第１箱部材２０の正面板１４と底面板１６との間に折曲線３６を内折り、すなわち、正面板１４の内面を底面板１６の内面とが対向するように折り曲げて、コンパクトな形状とする。
一方、使用者が折り畳み状態にあるボックスファイル１０を組み立てて用いるときは、第１側面板２２および第２側面板２４を手前に引き、背面板１８を起こして、底面板１６より垂直に立てる。
そして、前記したように、正面板１４と正面連結片４８ａおよび４８ｂとを固着具９０で固着すれば、ボックス型となり、組み立てが完了する。
【００４３】
次に、この第１箱部材２０および第２箱部材２８の製法について、主として図１７ないし図２４に基づいて説明する。
まず、第１箱部材２０について説明すると、第１箱部材２０を構成する正面板１４に対応した正面板領域１４ａ、底面板１６に対応した底面板領域１６ａおよび背面板１８に対応した背面板領域１８ａを合わせた形状のチップボール製芯材３０を準備する（図１７参照）。
そして、その芯材３０の表面に綿生地からなり芯材３０より外側に同一の幅ではみ出る略長方形の（芯材３０と相似形の）表装材３２を準備し、該表装材３２を芯材３０の表面に接合接着し、且つ芯材３０の周縁より裏面に亘って芯材３０をくるむように表装材３２の端縁近傍を折り返し芯材３０の裏面に貼着する（図１８参照）。
さらに、表装材３２は、芯材３０の端縁よりわずかに内側に入った位置にまで貼られているので、芯材３０の裏面側と表装材３２の外周縁とを覆うように、見返し紙３４を表装材３２の裏面側を含め貼着する（図１９参照）。
【００４４】
次に、芯材３０を正面板１４と底面板１６と背面板１８とに区画するために、折曲線３６および折曲線３８をそれぞれが平行となるように入れるとともに貫通孔６０ａ，６２ａ，６０ｂ，６２ｂを穿設する。
折曲線３６および３８は、表装材３２が貼着された芯材３０の表面側から裏面側に向けて、トムソン刃１１０によって型押しして細い筋を凹設することにより、比較的硬質の芯材３０を内側（裏面側）に折り曲げるための折曲線３６および３８が形成される（図２０参照）。
而して、第１箱部材２０が完成する。
【００４５】
第２箱部材２８は、第１側面板２２側と第２側面板２４側とを別々に製造するが、第１側面板２２および第２側面板２４と連結片２６とを合わせた大きさよりも大きな芯材素材４０ａを準備する（図２１参照）。
そして、芯材素材４０ａの表面に芯材素材４０ａより外側に同一の幅ではみ出る芯材素材４０ａと相似形の表装材４２を貼着し、表装材４２の端縁近傍を芯材素材４０ａの裏面側に向けて折り曲げ、芯材素材４０ａの表面から裏面に亘って芯材素材４０ａをくるむように接着する（図２２参照）。
芯材素材４０ａおよび表装材４２は、前記第１箱部材２０の芯材３０および表装材３２と同一素材を用いる。
なお、芯材素材４０ａの正面連結片４８を構成する部位は、あらかじめ斜辺に沿ってその角が切り落とされて開口端縁４８ｏｅ（上端縁および傾斜端縁を有する）が形成されたものを準備する。
【００４６】
次に、第２箱部材２８の底面連結片５６を形成するために、第１側面板２２および第２側面板２４の幅と同一の幅をもって折曲線４６および５０の延長線（図２３想像線）上において芯材素材４０ａを裁断する。折曲線４６および５０の延長線上を裁断することにより、第１側面板２２および第２側面板２４の底面連結片５６の正面側端縁５６ｆｅおよび背面側端縁５６ｒｅが形成される。このようにして、第１側面板２２に対応する第１側面板領域２２ａ、第２側面板２４に対応する第２側面板領域２４ａおよび連結片２６に対応する連結片領域２６ａが形成される。
【００４７】
さらに、正面連結片４８および背面連結片５２を形成するために、折曲線５４の延長線（図２３想像線）上ないしはそれよりも背面連結片５２側に若干入った位置において裁断する（図２３参照）。この折曲線５４の延長線上を裁断することにより第１側面板２２および第２側面板２４の背面連結片５２の底面側端縁５２ｕｅが形成され、折曲線５４の延長線よりも若干上った位置を裁断することにより正面連結片４８の底面側端縁４８ｕｅが形成される。
而して、正面連結片４８の下端縁および背面連結片５２の下端縁が形成され、且つ底面連結片５６の左右端縁が形成されるが、裁断と同時に、折曲線４６，５０および５４を入れるトムソン加工を施すとともに貫通孔６４ａ，６４ｂ，６６ａ，６６ｂ，７２ａ，７２ｂ，７４ａ，７４ｂを穿設する穿孔加工も同時に施す（図２４参照）。
折曲線４６，５０および５４は、表装材４２が貼着された芯材素材４０ａの表面側から裏面側に向けて、トムソン刃１１０によって型押しして細い筋を凹設することにより、比較的硬質の芯材素材４０ａを内側（裏面側）に折り曲げるための折曲線４６，５０および５４が形成される。
【００４８】
この実施の形態においては、底面連結片５６は、第１側面板２４側の底面連結片５６ａと第２側面板２４側の底面連結片５６ｂとが同一形状に成形され、第１箱部材２０の底面板１６の中央付近で底面連結片５６の内側端縁が向き合うようにして、底面板１６の内側面に固着される。
したがって、底面板１６は、その内側面をほぼ前面に亘って重ね合わされた底面連結片５６とによる二重底を構成している。
そのために、より底面板１６が強固となり、多少重量のあるものをこのボックスファイル１０に収容してもその重量に耐えることができる。
【００４９】
この発明は、前記実施の形態に限らず、この発明の思想に基づき種々変形することが可能である。
たとえば、第２箱部材２８は、２つの部材から構成されるようにしたが、第１側面板２２と第２側面板２４とにそれぞれ分かれていた底面連結片５６ａおよび５６ｂを、一枚板状の底面連結片５６とし、第１側面板２２と第２側面板２４とが底面連結片５６を介して連結されたものとしてもよい。
【図面の簡単な説明】
【００５０】
【図１】この発明の一実施の形態であるボックスファイルの斜視図解図である。
【図２】この発明の一実施の形態であるボックスファイルの折り畳み時の斜視図解図である。
【図３】第１箱部材の平面図解図である。
【図４】第２箱部材の平面図解図である。
【図５】第２箱部材の平面図解図である。
【図６】図１図示ボックスファイルの正面図解図である。
【図７】図１図示ボックスファイルの背面図解図である。
【図８】図１図示ボックスファイルの平面図解図である。
【図９】図１図示ボックスファイルの底面図解図である。
【図１０】図１図示ボックスファイルの右側面図解図である。
【図１１】図１図示ボックスファイルの左側面図解図である。
【図１２】第１箱部材と第２箱部材との組み合わせ方法を示す斜視図解図である。
【図１３】固着具による固着の方法を示す斜視図解図である。
【図１４】固着具による固着の方法を示す斜視図解図である。
【図１５】固着具の断面図解図である。
【図１６】固着具の断面図解図である。
【図１７】第１箱部材の製造方法を示す斜視図解図である。
【図１８】第１箱部材の製造方法を示す斜視図解図である。
【図１９】第１箱部材の製造方法を示す斜視図解図である。
【図２０】第１箱部材の製造方法を示す断面図解図である。
【図２１】第２箱部材の製造方法を示す斜視図解図である。
【図２２】第２箱部材の製造方法を示す斜視図解図である。
【図２３】第２箱部材の製造方法を示す斜視図解図である。
【図２４】第２箱部材の製造方法を示す斜視図解図である。
【符号の説明】
【００５１】
１０  ボックスファイル
１２  開口部
１４  正面板
１４ａ  正面板領域
１６  底面板
１６ａ  底面板領域
１８  背面板
１８ａ  背面板領域
２０  第１箱部材
２２  第１側面板
２２ａ  第１側面板領域
２４  第２側面板
２４ａ  第２側面板領域
２６  連結片
２６ａ  連結片領域
２８  第２箱部材
３０  芯材
３２  表装材
３４  見返し紙
３６  折曲線（正面板と底面板との間）
３８  折曲線（背面板と底面板との間）
４０  芯材
４０ａ  芯材素材
４２  表装材
４４  見返し紙
４６  折曲線
４６ａ  第１側面板の折曲線
４６ｂ  第２側面板の折曲線
４８  正面連結片
４８ａ  第１側面板の正面連結片
４８ｂ  第２側面板の正面連結片
５０  折曲線
５０ａ  第１側面板の折曲線
５０ｂ  第２側面板の折曲線
５２  背面連結片
５２ａ  第１側面板の背面連結片
５２ｂ  第２側面板の背面連結片
５４  折曲線
５４ａ  第１側面板の折曲線
５４ｂ  第２側面板の折曲線
５６ａ  第１側面板の底面連結片
５６ｂ  第２側面板の底面連結片
５８    折曲線
５８ａ  第１側面板の折曲線
５８ｂ  第２側面板の折曲線
６０ａ  正面板の貫通孔
６０ｂ  正面板の貫通孔
６２ａ  正面板の貫通孔
６２ｂ  正面板の貫通孔
６４ａ  第１側面板の貫通孔
６４ｂ  第２側面板の貫通孔
６６ａ  第１側面板の貫通孔
６６ｂ  第２側面板の貫通孔
６８ａ  背面板の貫通孔
６８ｂ  背面板の貫通孔
７０ａ  背面板の貫通孔
７０ｂ  背面板の貫通孔
７２ａ  第１側面板の貫通孔
７２ｂ  第２側面板の貫通孔
７４ａ  第１側面板の貫通孔
７４ｂ  第２側面板の貫通孔
８０  貫通孔
８２  貫通孔
８４  鋲
９０  固着具
９２  頭部
９４  脚部
９６  膨出部
９８  鋲
１００  固着片
１０２  貫通孔
１０４  台座
１１０  トムソン刃
【図１】
2005205689.tif 000003
【図２】
2005205689.tif 000004
【図３】
2005205689.tif 000005
【図４】
2005205689.tif 000006
【図５】
2005205689.tif 000007
【図６】
2005205689.tif 000008
【図７】
2005205689.tif 000009
【図８】
2005205689.tif 000010
【図９】
2005205689.tif 000011
【図１０】
2005205689.tif 000012
【図１１】
2005205689.tif 000013
【図１２】
2005205689.tif 000014
【図１３】
2005205689.tif 000015
【図１４】
2005205689.tif 000016
【図１５】
2005205689.tif 000017
【図１６】
2005205689.tif 000018
【図１７】
2005205689.tif 000019
【図１８】
2005205689.tif 000020
【図１９】
2005205689.tif 000021
【図２０】
2005205689.tif 000022
【図２１】
2005205689.tif 000023
【図２２】
2005205689.tif 000024
【図２３】
2005205689.tif 000025
【図２４】
2005205689.tif 000026